(57)【要約】      （修正有）【課題】救助者がウィジェット欄に記載されたＱＲコード（登録商標）をＱＲコードの読み取り手段にて緊急時などの読み取りが必要な時に読み取り、救急車等を呼ぶ消防署連絡手段を使用できるスマートフォンのアプリ及びこのアプリを備えたスマートフォンを提供する。【解決手段】スマートフォンに、スマートフォンの所有者以外の者が閲覧可能なウィジェット欄に少なくとも所有者の緊急連絡先が記載されたＱＲコード１０を設ける。ＱＲコード以外に、笛の機能を有する報知手段と、救急車を呼ぶ消防署連絡手段を備える。スマートフォンの所有者以外の者が閲覧可能なウィジェット欄には、難病患者であることを表示する表示部と、病院の連絡先等が記載されたＱＲコードが設けられていることが望ましい。スマートフォンには子機が接続されており、子機には笛の機能を有する報知手段と、救急車を呼ぶ消防署連絡手段と、警察に連絡する警察連絡手段を備える。【選択図】図３
2019213176.tif 000002
【特許請求の範囲】
【請求項１】
スマートフォンの所有者以外の者が閲覧可能なウィジェット欄に少なくとも所有者の緊急連絡先が記載されたＱＲコードが設けられていることを特徴とするスマートフォンのアプリ及びこのアプリを備えたスマートフォン。
【請求項２】
スマートフォンの所有者以外の者が閲覧可能なウィジェット欄には前記ＱＲコード以外に、笛の機能を有する報知手段と、救急車を呼ぶ消防署連絡手段とが設けられている前記請求項１に記載のスマートフォンのアプリ及びこのアプリを備えたスマートフォン。
【請求項３】
スマートフォンの所有者以外の者が閲覧可能なウィジェット欄には難病患者であることを表示する表示部と、病院の連絡先、救助者がしてはいけない処置等が記載されたＱＲコードが設けられている請求項１又は請求項２のいずれか１項に記載のスマートフォンのアプリ及びこのアプリを備えたスマートフォン。
【請求項４】
前記スマートフォンには子機が接続されており、前記子機には笛の機能を有する報知手段と、救急車を呼ぶ消防署連絡手段と、警察に連絡する警察連絡手段とが設けられている請求項１乃至請求項３のいずれか１項に記載のスマートフォンのアプリ及びこのアプリを備えたスマートフォン。
【発明の詳細な説明】
【技術分野】
【０００１】  本発明は、スマートフォンのアプリ及びこのアプリを備えたスマートフォンに関するものである。
【背景技術】
【０００２】  従来より、特許文献１に示すように、電話番号、住所、氏名などの個人情報をＱＲコード化し、そのＱＲコードを金属用彫刻機により首にかけるペンダントと同様のタグに彫刻し、ＱＲコードの読み取り手段にて緊急時などにおいて第三者が読み取るものはあった。【０００３】  しかしながら、このものは、タグの材料費及びタグへのＱＲコードの加工費がかかるためタグが高価になり、誰でも安易に購入できないという問題があった。
【先行技術文献】
【特許文献】
【０００４】
【特許文献１】特開２０１６−１０７０３４号公報
【発明の概要】
【発明が解決しようとする課題】
【０００５】  本発明は、上記従来の課題を解決するためになされたものであり、アプリを購入することで、所有者以外の者が閲覧可能な部位に所有者の緊急連絡先が記載されたＱＲコードを設けたスマートフォンを安価に提供することにある。
【課題を解決するための手段】
【０００６】  上記課題を解決するため、本発明のスマートフォンのアプリ及びこのアプリを備えたスマートフォンは、スマートフォンの所有者以外の者が閲覧可能なウィジェット欄に少なくとも所有者の緊急連絡先が記載されたＱＲコードが設けられていることを特徴とする。
又、本発明にあっては、スマートフォンの所有者以外の者が閲覧可能なウィジェット欄には前記ＱＲコード以外に、笛の機能を有する報知手段と、救急車を呼ぶ消防署連絡手段とが設けられていることが望ましい。
又、本発明にあっては、スマートフォンの所有者以外の者が閲覧可能なウィジェット欄には難病患者であることを表示する表示部と、病院の連絡先等が記載されたＱＲコードが設けられていることが望ましい。
又、本発明にあっては、前記スマートフォンには子機が接続されており、前記子機には笛の機能を有する報知手段と、救急車を呼ぶ消防署連絡手段と、警察に連絡する警察連絡手段とが設けられていることが望ましい。
【発明の効果】
【０００７】  本発明のスマートフォンのアプリ及びこのアプリを備えたスマートフォンは、スマートフォンの所有者以外の者が閲覧可能なウィジェット欄に少なくとも所有者の緊急連絡先が記載されたＱＲコードが設けられていることを特徴とするものであるから、救助者がウィジェット欄に記載されたＱＲコードをＱＲコードの読み取り手段にて緊急時などの読み取りが必要な時に読み取ることができ、連絡先に連絡できる効果がある。既に所有しているスマートフォンにアプリを購入して入れるだけであるので材料費や加工費が不要となり安価であるという効果がある。
又、請求項２のように、スマートフォンの所有者以外の者が閲覧可能なウィジェット欄には前記所有者の緊急連絡先のＱＲコード以外に、笛の機能を有する報知手段と、救急車を呼ぶ消防署連絡手段とが設けられているものは、必要に応じて笛の機能を有する報知手段と、救急車を呼ぶ消防署連絡手段を使用することが出来、防犯や救助に役立たせることができるという効果がある。
又、請求項３のように、スマートフォンの所有者以外の者が閲覧可能なウィジェット欄には難病患者であることを表示する表示部と、病院の連絡先等が記載されたＱＲコードが設けられているものは、救助者がウィジェット欄に記載された難病患者であることを表示する表示部から救助者が難病を患っていることを知ることが出来、救助者がウィジェット欄に記載されたＱＲコードをＱＲコードの読み取り手段にて緊急時などの読み取りが必要な時に読み取ることで緊急連絡先として登録された病院名、医師名、搬送先、救助者がしてはいけない処置などを知ることが出来、適切な処置が出来るという効果がある。
又、請求項４のように、前記スマートフォンには子機が接続されており、前記子機には笛の機能を有する報知手段と、救急車を呼ぶ消防署連絡手段と、警察に連絡する警察連絡手段とが設けられているものは、スマートフォンはバッグに入れ、スマートフォンに比し軽量小型化した子機を首に下げることが可能となり、状況に応じて直ちに子機を使用することが出来、防犯や救助に役立たせることができるという効果がある。
【図面の簡単な説明】
【０００８】
【図１】図１は、本発明のスマートフォンのアプリを備えたスマートフォンの待ち受け状態の正面図。
【図２】図２は、同上のスマートフォンのアプリを備えたスマートフォンのウィジェット欄の正面図。
【図３】図３は、同上のスマートフォンのアプリを備えたスマートフォンのウィジェット欄の正面図で表示を増やした状態の正面図。
【図４】図４は、同上のスマートフォンのアプリを備えたスマートフォンのホームボタンを押してパスワードを入力しロックを解除した状態の正面図。
【図５】図５は、本発明のスマートフォンのアプリを備えたスマートフォンの他の実施例のウィジェット欄の正面図。
【発明を実施するための形態】
【０００９】  以下、本発明の実施の形態を図１乃至図４に基づいて詳述すると、スマートフォン１は、縦方向が長尺となっており、上端部にカメラ機能２が配設され、下端部にホームボタン３が配設され、上部に時間日付表示部４が表示され、下部に「ホームボタンを押してロック解除」５が表示されている。中央部を右方向に指でなどってスワップすると所有者以外の者が閲覧可能なウィジェット欄６を表示させることができるようになっている。
【００１０】  ウィジェット欄６は、難病患者表示部７、救命マーク８、所有者の写真９、ＱＲコード１０が横一列に併設されている。ウィジェット欄６に設けられた「表示を増やす」を押してタップするとＱＲコード１０を拡大表示できるようになっており、スマートフォンに収容されたＱＲコードの読み取り手段にて緊急時などの読み取りが必要な時に読み取ることができるようになっている。ウィジェット欄６の編集をタップすることで表示内容を追加することができるようになっている。
【００１１】  難病患者表示部７は、救助者が難病を患っていることを知ることが出来るようになっている。
【００１２】  救命マーク８は、スターオブライフという人命救助に関わる職場で活躍する人々の守り神として救急医療のシンボルマークとなっているものである。
【００１３】  写真９は、スマートフォンや他のカメラで撮影された画像を使用することが出来るものである。
【００１４】  ＱＲコード１０は、難病患者で無い場合の一例として、所有者名、緊急連絡先、性別、生年月日、高血圧等の既往症、血液型、身長などの身体特徴、薬品アレルギーの有無、登録年月日などがあり、難病患者の場合の一例として、上記項目以外に、難病を患っていますという表示、所有者の電話番号、病院名、担当医師等の緊急連絡先、搬送先、病院の電話番号、内服している薬品名、使用してはいけない薬品名、家族等の緊急連絡先、登録年月日などがある。所有者名は、姓と名の両方を表示すると個人情報として特定されるおそれがあり、好ましくない場合は、姓と名のいずれか一方を表示すれば良いものである。
【００１５】  図４は、スマートフォンのホームボタンを押してパスワードを入力しロックを解除した状態図であり、笛ボタン１１、１１９番ボタン１２、１１０番ボタン１３、緊急連絡先ボタン１４、メディカルＩＤボタン１５が設けられている。
【００１６】笛ボタン１１は、設定した音量で鳴らすことが可能なものであり、防犯や救助に役立たせることができるものである。
【００１７】  １１９番ボタン１２は、即座に１１９番に自動発信するものであり、同時に位置情報も通報されるので、救急車の出動に役立つものである。１１９番ボタン１２は、緊急以外で３回以上使用すると使用できなくなるように設定されており、悪戯使用を防止している。
【００１８】  １１０番ボタン１３は、即座に１１０番に自動発信するものである。
【００１９】  緊急連絡先ボタン１４は、家族等の緊急連絡先へ発信するものである。
【００２０】  メディカルＩＤボタン１５は、所有者の写真９や医療情報を登録、編集、削除ができるものであり、情報を編集する都度にＱＲコード１０が更新されるものである。
【００２１】  １１９番ボタン１２及び１１０番ボタン１３は、緊急時以外は使用しないで下さいとの表示部１６を設けている。
【００２２】  スマートフォン１には子機が例えばＢｌｕｅｔｏｏｔｈのような無線で接続されており、子機には笛の機能を有する報知手段となる笛ボタン１１、救急車を呼ぶ消防署連絡手段となる１１９番ボタン１２と、警察に連絡する警察連絡手段となる１１０番ボタン１３が設けられている。
【００２３】  図５は、本発明のスマートフォンのアプリを備えたスマートフォンの他の実施例のウィジェット欄の正面図であり、ウィジェット欄６に笛ボタン１１と１１９番ボタン１２が設けられている。
【００２４】  アプリは、ストアを介して購入することが出来、購入することでスマートフォン１にインストールできるが、その時に課金されるようになっている。
【符号の説明】
【００２５】  １    スマートフォン
６    ウィジェット欄
７    難病患者表示部
１０    ＱＲコード
【図１】
2019213176.tif 000003
【図２】
2019213176.tif 000004
【図３】
2019213176.tif 000005
【図４】
2019213176.tif 000006
【図５】
2019213176.tif 000007